(57)【要約】【課題】  既存柱に新設の柱を添わせる耐震補強方法において、強固な構造で作業が容易なパネルゾーンの構造及び鉄筋接合方法を提供する。【解決手段】  補強用の太い柱１ａのネジ形状の鉄筋１１と補強用の細い柱１ｂのネジ形状の鉄筋１２が同一垂直線上にない場合に、両者を、筒状を斜め方向に折り曲げ、両端に開口部を備え、当該開口部の内径面にネジ溝を有する継手２１，２２と短いネジ形状の鉄筋１３を用いて連結して接合するパネルゾーンの構造及び鉄筋接合方法である。【選択図】        図１
2011256660.tif 000002
【特許請求の範囲】
【請求項１】
既存の柱の外側に添えて新設される耐震補強用の柱におけるパネルゾーンの構造であって、
下層に形成される柱内に配筋され、ネジ節の第１の鉄筋と、
上層に形成される柱内に配筋され、ネジ節の第２の鉄筋と、
筒状を斜め方向に折り曲げて、両端の開口部の内径面にネジ溝が形成された第１の継手と、
筒状を斜め方向に折り曲げて、両端の開口部の内径面にネジ溝が形成された第２の継手と、
ネジ節の第３の鉄筋とを備え、
前記第１の鉄筋と前記第２の鉄筋とが同一の垂直線上にない場合に、前記第１の鉄筋と前記第２の鉄筋を、前記第１の継手と、前記第３の鉄筋と、前記第２の継手とを用いて連結して接合したことを特徴とするパネルゾーンの構造。
【請求項２】
既存の柱の外側に添えて新設される耐震補強用の柱におけるパネルゾーンの構造であって、
下層に形成される柱内に配筋され、ネジ節の第１の鉄筋と、
上層に形成される柱内に配筋され、ネジ節の第２の鉄筋と、
筒状を斜め方向に折り曲げて、両端の開口部の内径面にネジ溝が形成された第１の継手と、
筒状を斜め方向に折り曲げて、両端の開口部の内径面にネジ溝が形成された第２の継手と、
ネジ節の第４の鉄筋と、
ネジ節の第５の鉄筋と、
円筒状で両端の開口部の内径面にネジ溝が形成された第３の継手とを備え、
前記第１の鉄筋と前記第２の鉄筋とが同一の垂直線上にない場合に、前記第１の鉄筋と前記第２の鉄筋を、前記第１の継手と、前記第４の鉄筋と、前記第３の継手と、前記第５の鉄筋と、前記第２の継手とを用いて連結して接合したことを特徴とするパネルゾーンの構造。
【請求項３】
第１の鉄筋と第２の鉄筋が複数本配筋されている場合、前記第２の鉄筋の下側同士、又は前記第２の鉄筋の下端に定着された第２の継手同士を帯筋で固定したことを特徴とする請求項１又は２記載のパネルゾーンの構造。
【請求項４】
第２の鉄筋は第１の鉄筋に比べて細く、第２の継手における前記第２の鉄筋が挿入される開口部は、前記第２の鉄筋の外径に応じた大きさの内径を備え、前記第２の鉄筋のネジ形状に対応したネジ溝を有することを特徴とする請求項１乃至３のいずれか記載のパネルゾーンの構造。
【請求項５】
請求項１記載のパネルゾーンの構造における鉄筋接合方法であって、
第１の鉄筋の上端に第１の継手の一端が定着されると共に第３の鉄筋の一端が前記第１の継手の他端奥方向に回し込まれており、第２の鉄筋の下端に第２の継手の一端が定着された状態で、前記第３の鉄筋の一端をゆるめて前記第３の鉄筋の他端を前記第２の継手の他端開口部にネジ回転により挿入して固定することを特徴とする鉄筋接合方法。
【請求項６】
請求項１記載のパネルゾーンの構造における鉄筋接合方法であって、
第２の鉄筋の下端に第２の継手の一端が定着されると共に第３の鉄筋の一端が前記第２の継手の他端奥方向に回し込まれており、第１の鉄筋の上端に第１の継手の一端が定着された状態で、前記第３の鉄筋の一端をゆるめて前記第３の鉄筋の他端を前記第１の継手の他端開口部にネジ回転により挿入して固定することを特徴とする鉄筋接合方法。
【請求項７】
請求項２記載のパネルゾーンの構造における鉄筋接合方法であって、
第１の鉄筋の上端に第１の継手の一端が定着されると共に第４の鉄筋の一端が前記第１の継手の他端奥方向に回し込まれ、前記第４の鉄筋の他端には第３の継手の一端が回し込まれて取り付けられ、第２の鉄筋の下端に第２の継手の一端が定着されると共に第５の鉄筋の一端が前記第２の継手の他端奥方向に回し込まれた状態で、前記第３の継手の一端をゆるめて前記第５の鉄筋の他端を前記第３の継手の他端開口部にネジ回転により挿入して固定することを特徴とする鉄筋接合方法。
【請求項８】
請求項２記載のパネルゾーンの構造における鉄筋接合方法であって、
第２の鉄筋の下端に第２の継手の一端が定着されると共に第５の鉄筋の一端が前記第２の継手の他端奥方向に回し込まれ、前記第５の鉄筋の他端には第３の継手の一端が回し込まれて取り付けられ、第１の鉄筋の上端に第１の継手の一端が定着されると共に第４の鉄筋の一端が前記第１の継手の他端奥方向に回し込まれた状態で、前記第３の継手の一端をゆるめて前記第４の鉄筋の他端を前記第３の継手の他端開口部にネジ回転により挿入して固定することを特徴とする鉄筋接合方法。
【発明の詳細な説明】
【技術分野】
【０００１】
本発明は、既存柱の外側に新しく柱を添わせる耐震補強の方法に係り、垂直方向に配筋された鉄筋を接合するパネルゾーンの構造及び鉄筋接合方法に関する。
【背景技術】
【０００２】
［従来の技術］
耐震補強の方法として、既存の柱に、鉄筋を配筋した別の柱を新設し、既存の柱と新設した柱とをアンカーで固定して、既存の柱を補強することが行われていた。
【０００３】
［従来の柱補強方法（側面説明図）：図６］
従来の柱補強方法について図６を参照しながら説明する。図６は、従来の柱補強方法を示す側面説明図である。
図６に示すように、既存の縦（垂直）方向のコンクリート製の柱２と既存の横（水平）方向のコンクリート製の柱３とが建設されており、柱２には縦方向に複数の鉄筋２ａが配筋され、柱３には横方向に複数の鉄筋３ａが配筋されている。
【０００４】
このような既存の柱の状況において、既存柱３の外壁に複数のアンカー４を打ち込んで固定し、新設の柱用の鉄筋１１，１２を配筋し、型枠で囲んでコンクリートを流し込み、アンカー４を介して既存の柱２と一体となるよう補強用の柱１を形成する。
図６では、柱１内には、径の大きい（太い）鉄筋１１と、径の小さい（細い）鉄筋１２が配筋されている。
【０００５】
新設する柱に配筋される鉄筋は、本数をなるべく少なくする代わりに、径が太く、直径３８〜５１ｍｍを使用する。
また、柱の大きさは、上階へ行く程に細く（柱断面積は小さく）なっている。
【０００６】
［従来の柱補強方法（断面説明図）：図７］
図６で説明した補強方法について図７を参照しながら説明する。図７は、従来の柱補強方法を示す断面説明図である。
図７では、補強用の柱と補強用の柱を結合した部分（パネルゾーン又は結合部分）の断面を示したものとなっている。
【０００７】
既存の柱で、垂直方向に設立された柱２には、垂直方向に鉄筋２ａが配筋され、水平方向の柱３，５にも水平方向に鉄筋３ａ，５ａが配筋されている。
そして、既存の柱２に添わせて補強するために新設の柱１が形成されている。柱１内には、垂直方向に鉄筋１１，１２が配筋され、柱２と柱１とはアンカー４で固定される。
【０００８】
［従来のパネルゾーン１：図８］
次に、従来のパネルゾーンの第１の接合例について図８を参照しながら説明する。図８は、従来のパネルゾーンの第１の接合を示す図である。
柱の補強は、建物の低い階（低層）では強度が要求されるため柱を太くする必要があり、高い階（高層）では低層に比べて強度が要求されないから柱を細くすることが通常行われている。
【０００９】
図８の例では、補強用の太い柱と補強用の細い柱を接合するパネルゾーンにおける第１の接合を示すものであり、太い柱１ａに対して細い柱１ｂの細い鉄筋１２が長さｌ（エル）分差し込まれて固定（定着）されている。
長さｌは、鉄筋の径をｄとした場合に、ｌ＝４０ｄと表され、例えば、鉄筋の径ｄが５１ｍｍであれば、約２ｍとなる。
【００１０】
［従来のパネルゾーン２：図９］
また、従来のパネルゾーンの第２の接合例について図９を参照しながら説明する。図９は、従来のパネルゾーンの第２の接合を示す図である。
図９の例では、太い鉄筋１１と細い配筋１２を斜め方向に配筋し、両鉄筋を継手２３で連結するものとなっている。
【００１１】
鉄筋がネジ形状のネジ節鉄筋となっており、継手２３の内面がそのネジ形状に対応したネジ溝が形成されてり、鉄筋に継手２３を回し込んで定着するようになっている。
また、通常、継手２３は太い鉄筋１１の径に合わせたものとなっており、継手２３の反対側に細い鉄筋１２が挿入された場合には、内径面との隙間に接着剤を充填して固定するようになっている。
【００１２】
［関連技術］
尚、関連する先行技術として、特開２０１０−１０６５５９号公報「曲げジョイント筋」（大和ハウス工業株式会社）［特許文献１］、特開２００１−１２９６９４号公報「建物の基礎の鉄筋構造及びその施工方法」（ミサワホーム株式会社）［特許文献２］、特開２００５−０１６２０１号公報「鉄筋の継手」（有限会社仁メタル）［特許文献３］がある。
【００１３】
特許文献１には、段違いの鉄筋を斜め方向に連結することが記載され、特許文献２には、直角に配筋された鉄筋をＬ字の継手フレームで連結することが記載され、特許文献３には、直角に配筋されたネジ状の鉄筋をＬ字の継手でネジ回転により結合することが記載されている。
【先行技術文献】
【特許文献】
【００１４】
【特許文献１】特開２０１０−１０６５５９号公報
【特許文献２】特開２００１−１２９６９４号公報
【特許文献３】特開２００５−０１６２０１号公報
【発明の概要】
【発明が解決しようとする課題】
【００１５】
しかしながら、上記従来の柱の補強方法では、下側の補強用の柱と上側の補強用の柱とを接合する場合に、耐震の強度を高めて、両柱に配筋された鉄筋同士を連結する作業を容易に行うことができるものとはなっていないという問題点があった。
【００１６】
具体的には、図８の例では、下の柱のコンクリートに上の柱の鉄筋を長さｌ差し込み、定着させる必要があり、鉄筋が余計に必要になって、更に、下の柱の鉄筋と上の柱の鉄筋を連結していないため、強度が十分ではないという問題がある。
【００１７】
また、図９の例では、下の柱の鉄筋と上の柱の鉄筋を継手で連結するものではあるが、鉄筋を柱の幅に応じて斜め方向に設置する必要があるため、作業が繁雑となり、柱の下側と上側で鉄筋の配筋位置が端側か中央側かで異なるため、一定の耐震強度を維持するのが難しいという問題がある。
【００１８】
本発明は上記実状に鑑みて為されたもので、既存柱に新設の柱を添わせる耐震補強方法において、強固な構造で作業が容易なパネルゾーンの構造及び鉄筋接合方法を提供することを目的とする。
【課題を解決するための手段】
【００１９】
上記従来例の問題点を解決するための本発明は、既存の柱の外側に添えて新設される耐震補強用の柱におけるパネルゾーンの構造であって、下層に形成される柱内に配筋され、ネジ節の第１の鉄筋と、上層に形成される柱内に配筋され、ネジ節の第２の鉄筋と、筒状を斜め方向に折り曲げて、両端の開口部の内径面にネジ溝が形成された第１の継手と、筒状を斜め方向に折り曲げて、両端の開口部の内径面にネジ溝が形成された第２の継手と、ネジ節の第３の鉄筋とを備え、第１の鉄筋と第２の鉄筋とが同一の垂直線上にない場合に、第１の鉄筋と第２の鉄筋を、第１の継手と、第３の鉄筋と、第２の継手とを用いて連結して接合したことを特徴とする。
【００２０】
本発明は、既存の柱の外側に添えて新設される耐震補強用の柱におけるパネルゾーンの構造であって、下層に形成される柱内に配筋され、ネジ節の第１の鉄筋と、上層に形成される柱内に配筋され、ネジ節の第２の鉄筋と、筒状を斜め方向に折り曲げて、両端の開口部の内径面にネジ溝が形成された第１の継手と、筒状を斜め方向に折り曲げて、両端の開口部の内径面にネジ溝が形成された第２の継手と、ネジ節の第４の鉄筋と、ネジ節の第５の鉄筋と、円筒状で両端の開口部の内径面にネジ溝が形成された第３の継手とを備え、第１の鉄筋と第２の鉄筋とが同一の垂直線上にない場合に、第１の鉄筋と第２の鉄筋を、第１の継手と、第４の鉄筋と、第３の継手と、第５の鉄筋と、第２の継手とを用いて連結して接合したことを特徴とする。
【００２１】
本発明は、上記パネルゾーンの構造において、第１の鉄筋と第２の鉄筋が複数本配筋されている場合、第２の鉄筋の下側同士、又は第２の鉄筋の下端に定着された第２の継手同士を帯筋で固定したことを特徴とする。
【００２２】
本発明は、上記パネルゾーンの構造において、第２の鉄筋は第１の鉄筋に比べて細く、第２の継手における第２の鉄筋が挿入される開口部は、第２の鉄筋の外径に応じた大きさの内径を備え、第２の鉄筋のネジ形状に対応したネジ溝を有することを特徴とする。
【００２３】
本発明は、上記パネルゾーンの構造における鉄筋接合方法であって、第１の鉄筋の上端に第１の継手の一端が定着されると共に第３の鉄筋の一端が第１の継手の他端奥方向に回し込まれており、第２の鉄筋の下端に第２の継手の一端が定着された状態で、第３の鉄筋の一端をゆるめて第３の鉄筋の他端を第２の継手の他端開口部にネジ回転により挿入して固定することを特徴とする。
【００２４】
本発明は、上記パネルゾーンの構造における鉄筋接合方法であって、第２の鉄筋の下端に第２の継手の一端が定着されると共に第３の鉄筋の一端が第２の継手の他端奥方向に回し込まれており、第１の鉄筋の上端に第１の継手の一端が定着された状態で、第３の鉄筋の一端をゆるめて第３の鉄筋の他端を第１の継手の他端開口部にネジ回転により挿入して固定することを特徴とする。
【００２５】
本発明は、上記パネルゾーンの構造における鉄筋接合方法であって、第１の鉄筋の上端に第１の継手の一端が定着されると共に第４の鉄筋の一端が第１の継手の他端奥方向に回し込まれ、第４の鉄筋の他端には第３の継手の一端が回し込まれて取り付けられ、第２の鉄筋の下端に第２の継手の一端が定着されると共に第５の鉄筋の一端が第２の継手の他端奥方向に回し込まれた状態で、第３の継手の一端をゆるめて第５の鉄筋の他端を第３の継手の他端開口部にネジ回転により挿入して固定することを特徴とする。
【００２６】
本発明は、上記パネルゾーンの構造における鉄筋接合方法であって、第２の鉄筋の下端に第２の継手の一端が定着されると共に第５の鉄筋の一端が第２の継手の他端奥方向に回し込まれ、第５の鉄筋の他端には第３の継手の一端が回し込まれて取り付けられ、第１の鉄筋の上端に第１の継手の一端が定着されると共に第４の鉄筋の一端が第１の継手の他端奥方向に回し込まれた状態で、第３の継手の一端をゆるめて第４の鉄筋の他端を第３の継手の他端開口部にネジ回転により挿入して固定することを特徴とする。
【発明の効果】
【００２７】
本発明によれば、既存の柱の外側に添えて新設される耐震補強用の柱におけるパネルゾーンの構造であって、ネジ節の第１の鉄筋が、下層に形成される柱内に配筋され、ネジ節の第２の鉄筋が、上層に形成される柱内に配筋され、第１の継手が、筒状を斜め方向に折り曲げて、両端の開口部の内径面にネジ溝が形成され、第２の継手が、筒状を斜め方向に折り曲げて、両端の開口部の内径面にネジ溝が形成され、ネジ節の第３の鉄筋を備え、第１の鉄筋と第２の鉄筋とが同一の垂直線上にない場合に、第１の鉄筋と第２の鉄筋を、第１の継手と、第３の鉄筋と、第２の継手とを用いて連結して接合したものとしているので、強固な構造で作業を容易にできる効果がある。
【００２８】
本発明によれば、既存の柱の外側に添えて新設される耐震補強用の柱におけるパネルゾーンの構造であって、ネジ節の第１の鉄筋が、下層に形成される柱内に配筋され、ネジ節の第２の鉄筋が、上層に形成される柱内に配筋され、第１の継手が、筒状を斜め方向に折り曲げて、両端の開口部の内径面にネジ溝が形成され、第２の継手が、筒状を斜め方向に折り曲げて、両端の開口部の内径面にネジ溝が形成され、ネジ節の第４の鉄筋とネジ節の第５の鉄筋とを備え、第３の継手が、円筒状で両端の開口部の内径面にネジ溝が形成され、第１の鉄筋と第２の鉄筋とが同一の垂直線上にない場合に、第１の鉄筋と第２の鉄筋を、第１の継手と、第４の鉄筋と、第３の継手と、第５の鉄筋と、第２の継手とを用いて連結して接合したものとしているので、強固な構造で作業を容易にできる効果がある。
【００２９】
本発明によれば、第１の鉄筋と第２の鉄筋が複数本配筋されている場合、第２の鉄筋の下側同士、又は第２の鉄筋の下端に定着された第２の継手同士を帯筋で固定した上記パネルゾーンの構造としているので、第２の鉄筋が広がることを防止できる効果がある。
【図面の簡単な説明】
【００３０】
【図１】本発明の実施の形態に係る第１のパネルゾーンの構造を示す概略図である。
【図２】第１の継手の概略図である。
【図３】第１の継手の断面図である。
【図４】第２の継手の断面図である。
【図５】本発明の実施の形態に係る第２のパネルゾーンの構造を示す概略図である。
【図６】従来の柱補強方法を示す側面説明図である。
【図７】従来の柱補強方法を示す断面説明図である。
【図８】従来のパネルゾーンの第１の接合を示す図である。
【図９】従来のパネルゾーンの第２の接合を示す図である。
【発明を実施するための形態】
【００３１】
本発明の実施の形態について図面を参照しながら説明する。
［実施の形態の概要］
本発明の実施の形態に係るパネルゾーンの構造は、既存の柱の外側に添えて新設される耐震補強用の柱におけるものであって、下層に形成される柱内に配筋され、ネジ形状の第１の鉄筋と、上層に形成される柱内に配筋され、ネジ形状の第２の鉄筋と、筒状を斜め方向に折り曲げて、両端の開口部の内径面にネジ溝が形成された第１の継手と、筒状を斜め方向に折り曲げて、両端の開口部の内径面にネジ溝が形成された第２の継手と、ネジ形状の第３の鉄筋とを備え、第１の鉄筋と第２の鉄筋とが同一の垂直線上にない場合に、第１の鉄筋と第２の鉄筋を、第１の継手と、第３の鉄筋と、第２の継手とを用いて連結して接合したものであり、強固な構造で作業を容易にできるものである。
【００３２】
また、上記第３の鉄筋の代わりに、第４の鉄筋、第３の継手、第５の鉄筋を用い、第１の鉄筋と第２の鉄筋を、第１の継手と、第４の鉄筋と、第３の継手と、第５の鉄筋と、第２の継手とを用いて連結して接合したものであり、バルコニー等の構造物があっても、強固な構造で作業を容易にできるものである。
【００３３】
［パネルゾーンの接合１：図１］
本発明の実施の形態に係る第１のパネルゾーン（第１のパネルゾーン）の構造について図１を参照しながら説明する。図１は、本発明の実施の形態に係る第１のパネルゾーンの構造を示す概略図である。
第１のパネルゾーンは、図１に示すように、既存の柱に添わせる新設の柱として、下側の太い柱１ａと、上側の細い柱１ｂが形成されるものであるが、柱１ａ内に垂直方向に複数配筋される鉄筋１１が設立され、柱１ｂ内に垂直方向に複数の鉄筋１２が配筋されるようになっている。
【００３４】
尚、下側の鉄筋１１と上側の鉄筋１２とは、柱１ａ，１ｂの形状に合わせて配筋されるため、同一の垂直線上に配筋されるとは限らない。図１でも異なる垂直線上に配筋した例を示しており、更に、鉄筋１１は鉄筋１２に比べて太い径となっている。そこで、鉄筋１１を太い鉄筋、鉄筋１２を細い鉄筋と呼ぶことにする。
【００３５】
第１のパネルゾーンでは、鉄筋１１と鉄筋１２とを２つの継手２１，２２と短い鉄筋１３を用いて連結している。つまり、鉄筋１１と鉄筋１２とを斜め方向に連結している。
ここで、斜め方向の連結としたのは、直角方向の連結であれば、耐震の強度が十分ではなく、更に、直角方向の連結であれば、鉄筋１１，１２のいずれか又は双方を延長することになるため、鉄筋の長さの節約にならないからである。
【００３６】
斜め方向に連結する勾配は、第１の継手２１の中心（折り曲がっている箇所）から第２の継手２２の中心に対して垂直方向の長さをＤとし、水平方向の長さをｅとすると、ｅ／Ｄが勾配となる。
また、継手２１と継手２２とを連結する短い鉄筋１３は、鉄筋１１と同じ太さの鉄筋となっている。
【００３７】
［帯筋での固定］
尚、図１において、一方の鉄筋１２の下側、又は一方の第２の継手２２の垂直部分と、他方の鉄筋１２の下側、又は他方の第２の継手２２の垂直部分とを二重帯筋で連結して固定する。
一方の鉄筋１２の下側等と他方の鉄筋１２の下側等とを帯筋で結び付けるのは、鉄筋１１が鉄筋１２の下側を外側に引っ張って、鉄筋１２が広がってしまうのを抑えるためである。
【００３８】
［第１の継手：図２，図３］
次に、第１の継手２１について図２及び図３を参照しながら説明する。図２は、第１の継手の概略図であり、図３は、第１の継手の断面図である。
第１の継手２１は、図２，３に示すように、円筒形状を途中で「く」の字に斜め方向に折り曲げた形状となっており、両端に開口部２１ａ，２１ｂが設けられている。
【００３９】
また、鉄筋１１，１２，１３がネジ節鉄筋となっているのに対応して、第１の継手２１における下側の開口部２１ａの内径は、鉄筋１１等の外径に対応し、開口部２１ａの内径面には、ネジ節鉄筋のネジ形状に対応してネジ溝２１ｃが形成されており、鉄筋をネジ回転により挿入して固定（定着）するようになっている。
同様に、第１の継手２１における上側の開口部２１ｂの内径は、鉄筋１１等の外径に対応し、開口部２１ｂの内径面にもネジ溝２１ｄが形成されている。
【００４０】
ここで、第１の継手２１における下側の内径と上側の内径は、同じ大きさとなっており、同じ太さの外径を有する鉄筋１１と鉄筋１３とを連結するものである。
また、第１の継手２１の「く」の字の傾きθ１は、図１で説明した勾配（ｅ／Ｄ）によって定められる。勾配としては１／６，１／８，１／１０などがある。従って、θ１＝ｔａｎ（ｅ／Ｄ）で求められる。
【００４１】
［第２の継手：図４］
次に、第２の継手２２について図４を参照しながら説明する。図４は、第２の継手の断面図である。
第２の継手２２は、外観上、第１の継手２１と同様の形状をしているが、図４に示すように、上側の開口部２２ｂが細い鉄筋１２の外径に対応して狭い内径となっており、鉄筋１２のネジ形状に対応してネジ溝２２ｄが形成されている。
【００４２】
尚、第２の継手２２における下側の開口部２２ａとネジ溝２２ｃは、第１の継手２１における開口部とネジ溝と同様である。
また、第２の継手２２の傾きθ２も勾配によって求められるものであり、傾きθ１と同様の傾きとしている。
【００４３】
第２の継手２２における上側の開口部２２ｂに細い鉄筋１２をネジ回転により挿入して固定し、下側の開口部２２ａに太い鉄筋１３をネジ回転により挿入して固定し、太い鉄筋１３と細い鉄筋１２とを連結している。
【００４４】
［鉄筋の接合方法１］
次に、第１のパネルゾーンにおける鉄筋の接合方法（第１の接合方法）を説明する。
柱１ａに使用される鉄筋１１が配筋され、また、柱１ｂに使用される鉄筋１２が配筋された状態で、鉄筋１１の上側先端に第１の継手２１をネジ回転により挿入して取り付け、柱１２の下側先端に第２の継手２２をネジ回転により挿入して取り付ける。
【００４５】
次に、第１の継手２１又は第２の継手２２のいずれか一方に鉄筋１３の一端をネジ回転により、奥まで回し込み、他方の継手の開口部に鉄筋１３の他端を回し込みながら、上記一端側を緩めて、継手２１，２２への鉄筋１３の一端と他端の挿入部分の長さが同じ程度となるよう調整する。
このようにして、鉄筋１１と鉄筋１２が第１の継手２１、鉄筋１３、第２の継手２２によって連結され、接合された状態となる。
【００４６】
［パネルゾーンの接合２：図５］
次に、本発明の実施の形態に係る第２のパネルゾーン（第２のパネルゾーン）の構造について図５を参照しながら説明する。図５は、本発明の実施の形態に係る第２のパネルゾーンの構造を示す概略図である。
図１の例は、既存の柱の外壁に突出する構造物が存在しない場合であり、図５の例では、既存の柱の外壁にバルコニー等の突出する構造物１ｃが形成されている場合である。
【００４７】
バルコニー等の構造物１ｃが存在する場合でも、補強用の柱は既存の柱に添うように形成されるが、バルコニー部分については、鉄筋を通す部分に穴を開けて、そこに鉄筋を通して接合し、その後、穴部分をコンクリートで埋め合わせるものとなっている。
【００４８】
具体的に、図５のパネルゾーンは、図１と比較して、鉄筋１１と鉄筋１２を連結するのに、第１の継手２１と、第２の継手２２と、鉄筋１３ａと、鉄筋１３ｂと、第３の継手２３を用いている。
鉄筋１３ａ，１３ｂは、図１の鉄筋１３と比べて半分以下と短いものである。
【００４９】
第３の継手２３は、両端に開口部を備え、両端の開口部は同じ大きさの内径を備えて貫通し、内径面にはネジ溝が形成されている。従って、ネジ節鉄筋を第３の継手２３における一方の開口部からネジ回転により挿入すると、他方の開口部に貫通させることができるものである。
【００５０】
［帯筋での固定］
尚、図５においても、一方の鉄筋１２の下側、又は一方の第２の継手２２の垂直部分と、他方の鉄筋１２の下側、又は他方の第２の継手２２の垂直部分とを二重帯筋で連結して固定する。これにより、鉄筋１２が広がってしまうのを抑えることができる。
【００５１】
［鉄筋の接合方法２］
次に、第２のパネルゾーンにおける鉄筋の接合方法（第２の接合方法）を説明する。
まず、図５に示すように、バルコニー等の構造物１ｃに鉄筋連結用の穴を形成する。穴は、幅ｗの長さで、奥行きは、継手２１，２２が図５に示す横向き方向（最も幅を取らない方向）で通すことができるものとなっている。
【００５２】
柱１ａに使用される鉄筋１１の先端に第１の継手２１を取り付けた状態で配筋され、また、柱１ｂに使用される鉄筋１２の先端に第２の継手２２を取り付けた状態で配筋される。
この場合、構造物１ｃに設けた穴に対して継手が入る方向に調整して鉄筋１１，１２の先端を穴に挿入する。
【００５３】
そして、鉄筋１３ａの一端を第３の継手２３の奥までネジを回して挿入し、第３の継手２３が取り付けられた鉄筋１３ａの他端を第１の継手２１にネジ回転で挿入する。
次に、鉄筋１３ｂの一端を第２の継手２２にネジ回転により挿入し、第３の継手２３を鉄筋１３ａから回して緩めながら鉄筋１３ｂの他端にネジ回転により挿入する。第３の継手２３への鉄筋１３ａ，１３ｂの挿入長さが同じ程度になるよう調整する。
【００５４】
また、別の方法として、鉄筋１３ｂの一端を第３の継手２３の奥までネジを回して挿入し、第３の継手２３が取り付けられた鉄筋１３ｂの他端を第２の継手２２にネジ回転で挿入する。
次に、鉄筋１３ａの一端を第１の継手２１にネジ回転により挿入し、第３の継手２３を鉄筋１３ｂから回して緩めながら鉄筋１３ａの他端にネジ回転により挿入する。第３の継手２３への鉄筋１３ａ，１３ｂの挿入長さが同じ程度になるよう調整する。
このようにして、鉄筋１１と鉄筋１２が第１の継手２１、鉄筋１３ａ、第３の継手２３、鉄筋１３ｂ、第２の継手２２によって連結され、接合された状態となる。
【００５５】
［実施の形態の効果］
第１のパネルゾーンの構造によれば、補強用の太い柱１ａの鉄筋１１と補強用の細い柱１ｂの鉄筋１２を、継手２１，２２と短い鉄筋１３を用いて連結しているので、連結作業を容易とし、耐震強度を高めると共に、余計な鉄筋を節約できる効果がある。
【００５６】
第２のパネルゾーンの構造によれば、バルコニー等の構造物１ｃがある場合でも、該当箇所に穴を開け、その穴部分で、継手２１，２２，２３と短い鉄筋１３ａ，１３ｂを用いて鉄筋１１と鉄筋１２とを連結しているので、最小限の穴部分での連結作業を容易とし、耐震強度を高めると共に、余計な鉄筋を節約できる効果がある。
【００５７】
第１，２のパネルゾーンの構造では、鉄筋１２の下側又は継手２２の垂直部分を帯筋で固定するようにしているので、鉄筋１２が鉄筋１１に引っ張られて広がるのを防止できる効果がある。
【産業上の利用可能性】
【００５８】
本発明は、既存柱に新設の柱を添わせる耐震補強方法において、強固な構造で作業が容易なパネルゾーンの構造及び鉄筋接合方法に好適である。
【符号の説明】
【００５９】
１…柱、  １ａ…柱、  １ｂ…柱、  １ｃ…構造物、  ２…柱、  ２ａ…鉄筋、  ３…柱、  ３ａ…鉄筋、  ４…アンカー、  ５…柱、  ５ａ…鉄筋、  １１…鉄筋、  １２…鉄筋、  １３…鉄筋、  １３ａ…鉄筋、  １３ｂ…鉄筋、  ２１…第１の継手、  ２１ａ…開口部、  ２１ｂ…開口部、  ２１ｃ…ネジ溝、  ２１ｄ…ネジ溝、  ２２…第２の継手、  ２２ａ…開口部、  ２２ｂ…開口部、  ２２ｃ…ネジ溝、  ２２ｄ…ネジ溝、  ２３…継手（第３の継手）
【図１】
2011256660.tif 000003
【図２】
2011256660.tif 000004
【図３】
2011256660.tif 000005
【図４】
2011256660.tif 000006
【図５】
2011256660.tif 000007
【図６】
2011256660.tif 000008
【図７】
2011256660.tif 000009
【図８】
2011256660.tif 000010
【図９】
2011256660.tif 000011